(57)【特許請求の範囲】
【請求項１】
少なくとも２個の関連ロッカーを有するものにおいて、その内の一方のロッカーは、対向端に互いに連結、固定可能な取付フランジを突設し、内側の軸方向に係止凹溝を対設した２個一対の外筒と、先端に同形の突起を設け、前面に開口するキー孔を軸方向に貫設するとともに、同キー孔へのキーの挿・抜操作により外周面からキー孔の直交方向に出没するようバネ付勢された複数枚の係止板を内蔵した内筒と、両内筒先端の突起を同じ向きで突き合わせた状態で両突起が嵌合、固定可能な嵌合孔が設けられた連結具と、該連結具に嵌合、固定可能な嵌合孔が基部に設けられたラッチと、前記関連ロッカーに各使用される少なくても２個のキーを備えており、前記一方のロッカーにおける扉裏面側に配設された内筒のキー孔へ他方のロッカーのキーを挿入し、扉前面側に配設された内筒のキー孔へ挿入されたキー操作により、取付フランジを介して互いに連結、固定した両外筒内において、両内筒、連結具およびラッチとを一体に回動して施錠する一方、前記扉裏面側の内筒に挿入されたキーを抜去することにより、両内筒、連結具及びラッチの回動を阻止して解錠状態を保持することを特徴とするロッカー用のツインロック機構。
【発明の詳細な説明】
【０００１】
【産業上の利用分野】
本発明は、ロッカー用のツインロック機構に関する。
【０００２】
【従来の技術】
従来のロッカー用のロック機構は、扉の前面側を操作部とし、扉の裏面側を制御部とし、操作部側からのキー回動により、制御部にあるラッチを回動操作して施錠・解錠する構成となっている。
【０００３】
【発明が解決しようとする課題】
ところで、近年、プール、サウナ、銭湯、スポーツクラブ等においては、客であるロッカー使用者の荷物（バッグ類、衣類、その他の携帯品）を収容する本ロッカーの他に、汚れ物である靴類を収容するシューズロッカーを装備しているところが多い。
【０００４】
このような所では、ロッカー使用者は、相互に無関係のキーを２個所持することが必要であり、その分、保管の便が良くなく、紛失のおそれも多いと言える。
【０００５】
また、従来のロッカーでは、扉前面側のキー操作だけで施錠・解錠できるため、不正なキー操作等による非常解錠を容易に許容してしまう問題がある。
【０００６】
とくに、ロッカー使用者の貴重品なども収容することもある本ロッカーでは、従来より、簡単には解錠できないように種々な工夫、処置が提案されているが、いずれも扉前面側からの不正防止のみに着眼したものであるため、機構全体が複雑化、高コスト化するだけでなく、必ずしも満足すべく不正解錠防止の効果を上げていない問題がある。
【０００７】
本発明は、上記した従来の技術が有するこのような問題点を解消すべくなされたもので、キーの管理が容易であり、かつ不正なキー操作等による非常解錠を有効に防止できる安全性の高いロッカー用のツインロック機構を提供することを目的とする。
【０００８】
【課題を解決するための手段】
前記目的を達成するために、本発明に係るロッカー用のツインロック機構は、少なくとも２個の関連ロッカーを有するものにおいて、その内の一方のロッカーは、対向端に互いに連結、固定可能な取付フランジを突設し、内側の軸方向に係止凹溝を対設した２個一対の外筒と、先端に同形の突起を設け、前面に開口するキー孔を軸方向に貫設するとともに、同キー孔へのキーの挿・抜操作により外周面からキー孔の直交方向に出没するようバネ付勢された複数枚の係止板を内蔵した内筒と、両内筒先端の突起を同じ向きで突き合わせた状態で両突起が嵌合、固定可能な嵌合孔が設けられた連結具と、該連結具に嵌合、固定可能な嵌合孔が基部に設けられたラッチと、前記関連ロッカーに各使用される少なくても２個のキーを備えており、前記一方のロッカーにおける扉裏面側に配設された内筒のキー孔へ他方のロッカーのキーを挿入し、扉前面側に配設された内筒のキー孔へ挿入されたキー操作により、取付フランジを介して互いに連結、固定した両外筒内において、両内筒、連結具およびラッチとを一体に回動して施錠する一方、前記扉裏面側の内筒に挿入されたキーを抜去することにより、両内筒、連結具及びラッチの回動を阻止して解錠状態を保持することを特徴とする。
【０００９】
【作用】
２個の関連ロッカーの内、一方のロッカー（シューズロッカー）に靴類を収容し施錠した後に、引き抜いたキーを、開扉状態にある他のロッカー（本ロッカー）のキー孔へ差し込む。
【００１０】
次いで、閉扉後、本ロッカーのキーを操作して施錠方向へ回動すると、２個の外筒内に挿入されている内筒およびラッチは連結具を介して一体となって回動して施錠状態となる。
【００１１】
このようにしてツインロック機構の扉裏面側に配置される内筒のキー孔へキーを挿入することで、ツインロック機構全体が回動可能となり、扉正面側に配置された内筒のキー孔へ挿入されたキーの回動を許容するが、扉裏面側にキーが存在しない時は、当該内筒の係止板が外筒の係止凹溝に係止されるため、扉正面側のキーの回動を阻止する。したがって、開扉中において、扉裏面側にキーを差し込まない限り、扉正面側からの施錠は不可能となっている。
【００１２】
【発明の実施の形態】
以下、本発明の実施の形態について図面を参照して詳細に説明する。
図１は、本発明の用途の説明図であり、図２は、本発明の使用状態を示す側面図であり、図３は、同上の平面図であり、図４は、同上の背面図であり、図５は、本発明の他の実施形態における使用状態を示す平面図であり、図６は、同上の背面図であり、図７は、本発明の解錠状態を示す分解斜視図であり、図８は、同上の断面図であり、図９は、同上の組立て断面図であり、図１０は、図９のＡ−Ａ矢視断面図であり、図１１は、本発明の施錠状態を示す分解斜視図であり、図１２は、同上の断面図であり、図１３は、同上の組立て断面図であり、図１４は、図１３のＢ−Ｂ矢視断面図である。
【００１３】
先ず、図１について説明する。
同図中Ａは、ロッカー使用者の靴類を収容するシューズロッカー、Ｂは、ロッカー使用者の荷物（バッグ類、衣類、貴重品等）を収容する本ロッカーの主要部を示す。
さらに、図１は、シューズロッカーＡのロック機構、２は、そのキー孔、３は、そのキー孔へ挿入される施・解錠用のキー、４は、本ロッカーＢのツインロック機構、５は、ツインロック機構４が装着される本ロッカーＢの扉、６は、本ロッカーＢの箱体、７は、ツインロック機構４の扉５の前面側からキー孔へ挿入される同機構４の施・解錠用のキー、８は、キー７の操作によって回動するラッチを各々示す。
なお、前記ツインロック機構４の扉５の裏面側からキー項へ挿入されるキーは、シューズロッカーＡで使用されるキー３でなければならない。
【００１４】
次に、図２ないし図４について説明する。
同図中９は、合成樹脂製の長方形状の箱型ケースで、後板１０、側板１１、１２、天板１３および底板１４とにより、前方を開口部１５として形成されるとともに、本ロッカーＢの箱体６に設けられたラッチ孔１６寄りの側板１１には、ツインロック機構４のラッチ８が出入できるように凹欠部１７が設けられている。
【００１５】
そして、このケース９は、扉５裏側の所定位置にネジ止めされ、扉５に装着されたツインロック機構４の後部を、後板１０に設けた貫通孔（図示しない）を通して突出した状態で同孔に固定させてある。
【００１６】
さらに、図５および図６について説明すると、同図に示されたものは、図２ないし図４に示された機構に、扉５の開状態時における施錠を防止するストッパー１８を付設したものである。すなわち、このストッパー１８は、合成樹脂製の長方形薄板にて形成され、裏面の略中央部に扉５の開状態時におけるラッチ８の回動を防止する係止部１９が設けられるとともに、基部両側に突軸２０、２０が設けられ、両突軸２０、２０を、ケース９における後板１０の側板１２寄りに設けられた軸受２１、２１の軸孔２２、２２へ挿入することにより、前記突軸２０、２０を支点に回動自在に軸承され、かつケース９の軸受２１、２１間の後方において後板１０へ突設されたバネ軸２３に巻装されたコイルバネ２４により、先端側が常時後方に位置（図５の２点鎖線の位置）するよう付勢させてある。
【００１７】
そこで、扉５を閉じると、ストッパー１８の先端がロッカー本体Ｂの箱体６正面に突き当るため、当該ストッパー１８は、コイルバネ２４の付勢力に抗して前方位置（図５の実線の位置）まで回動され、これによってラッチ８に対する係止部１９の係止が解除され、キー７の操作によりラッチ８をラッチ孔１６へ挿入して施錠することができる。
【００１８】
次に、図７ないし図１４について説明する。
図７ないし図１０は、解錠状態におけるツインロック機構４の実施形態を示し、図１１ないし図１４は、施錠状態のツインロック機構４の実施形態を示している。
【００１９】
ツインロック機構４は、２個一対の外筒３１、３２と、各外筒３１、３２内側の嵌合孔３５、３６へ外側から挿脱自在の内筒４１、４２と、両内筒４１、４２を連結する連結具６１と、既述ラッチ８およびキー３、７とを主要構成部材としている。
【００２０】
前記外筒３１、３２の対向端には、互いに連結、固定可能な同形状の取付フランジ３３、３４を備えている。
取付フランジ３３は、薄い平板にて略矩形状に形成されており、一隅部に耳片３３ａが突設されるとともに、耳片３３ａ近傍に係合孔３３ｂが穿設され、さらに耳片３３ａおよび他の隅部には複数個のネジ孔３３ｃ…が各設けられている。
【００２１】
一方、取付フランジ３４は、厚い平板にて取付フランジ３３と同形状に形成されており、対応部位に耳片３４ａ、突起３４ｂおよびネジ孔３４ｃ…が各設けられるとともに、耳片３４ａの外周に突縁部３４ｄが設けられている。
【００２２】
また、前記外筒３１、３２内側の嵌合孔３５、３６には、その周壁の軸方向に１８０度の間隔を置いて、係止凹溝３７、３８が各々対設されている。これら係止凹溝３７、３８は、後述する内筒４１、４２が有する複数枚の係止板全てが挿入可能な高さ、長さおよび幅を備えている。
【００２３】
前記内筒４１、４２は、前記外筒３１、３２の嵌合孔３５、３６に嵌合可能な胴体４３、４４とフランジ４５、４６を有するとともに、胴体４３、４４の先端に突起４７、４８が設けられている。各突起４７、４８は、同形、同大の直方体状に形成されている。
【００２４】
また、前記内筒４１、４２の胴体４３、４４には、フランジ４５、４６の前面に開口するキー孔４９、５０が軸方向に貫設されている。各キー孔４９、５０は突起４７、４８と同じ向きに設けられている。（図１０および図１４に示す）
【００２５】
さらに、前記内筒４１、４２の胴体４３、４４には、キー孔４９、５０へのキー３、７の挿・抜操作により外周面から出没するようバネ（図示しない）により付勢された複数枚の係止板５１…、５２…が内蔵されている。
【００２６】
すなわち、胴体４３、４４のキー孔４９、５０と外周面が連通するよう、キー孔４９、５０の直交方向に所定の間隔を置いて複数個のスリット５３…、５４…が形成されており、各スリット５３…、５４…へ挿入された係止板５１…、５２…は、キー孔４９、５０へのキー３、７の差し込みにより、各スリット５３…、５４…内に没して内筒４１、４２の胴体４３、４４の回動を許容する一方、キー３、７の引き抜きにより、各スリット５３…、５４…から突出して外筒３１、３２の係止凹溝３７、３８に係合し内筒４１、４２の胴体４３、４４の回動を阻止するようになっている。
【００２７】
前記連結具６１は、円板状に形成され、中心部に、内筒４１、４２の胴体４３、４４先端に設けられた突起４７、４８が嵌合する同形状の嵌合孔６２が設けられるとともに、外側面に複数個（図示例では３個）の係合突起６３…が等間隔に設けられている。さらに、この連結具６１は、両突起４７、４８を合せた高さと同厚みに形成され、これによって内筒４１、４２の突起４７、４８を突き合せた状態で両突起４７、４８全体を嵌合孔６２が嵌合できるようになっている。
【００２８】
既述した前記ラッチ８は、先端に係止部８ａが設けられるとともに、基部に前記連結具６１に嵌合、固定可能な嵌合孔８ｂが設けられている。
さらに、この嵌合孔８ｂの内縁には、廻り止め用の連結具６１の係合突起６３…が係合する係合凹部８ｃ…が設けられている。
【００２９】
次に、このような構成部材からなるツインロック機構４の組み立て方法について説明する。
先ず、外筒３１と３２の取付フランジ３３、３４間に、ラッチ８の嵌合孔８ｂに嵌合した連結具６１を配し、各外筒３１、３２の嵌合孔３５、３６へ内筒４１、４２の胴体４３、４４を嵌合して、胴体４３、４４先端に設けられた突起４７、４８を連結具６１の嵌合孔６２内へ互いに反対方向から挿入し、当該嵌合孔６２の略中央部で突き合せる。この時、連結具６１の嵌合孔６２の向きは、図７ないし図１０に示したように、解錠中の内筒４１、４２のキー孔４９、５０に合せて縦向きに設定され、一方、ラッチ８の向きは、連結具６１の嵌合孔６２と直交する方向に設定されている。
【００３０】
次いで、外筒３１と３２の取付フランジ３３と３４を互いに同じ向きで合せて、取付フランジ３４に設けられた突起３４ｂを他方の取付フランジ３３に設けられた嵌合孔３３ｂへ嵌合した後、対向するネジ孔３３ｃ…とネジ孔３４ｃ…とにネジ７０…を螺合することで組み立ては完了する。
【００３１】
次に、本発明の使用方法について説明する。
先ず、図１に示すシューズロッカーＡに靴類を収容し施錠した後に、ロック機構１のキー孔２から引き抜いたキー３を、開扉中のツインロック機構４の内筒４１のキー孔４９に差し込む。これにより、内筒４１の胴体４３に内臓された係止板５１…が没入し、外筒３１の係止凹溝３７、３７から外れるため、内筒４１は外筒３１の嵌合孔３５内において回動許容状態となる。
【００３２】
そこで、閉扉後、扉５外面に露出する内筒４２のキー孔５０に差し込まれているキー７を操作して図中左方向へ回動すると、内筒４２は外筒３２の嵌合孔３６内において同方向に回動すると同時に、連結具６１を介して内筒４１と一緒になってラッチ８が同方向に回動する。この時、図１１ないし図１４に示したように、内筒４１、４２、連結具６１が９０度回動するため、ラッチ８も同方向へ同角度回動して、ラッチ８先端の係止部８ａが、本ロッカーＢの箱体６に設けられたラッチ孔１６内に挿入され施錠状態となる。
【００３３】
一方、キー３が内筒４１のキー孔４９に差し込まれていない時に内筒４２に差し込まれているキー７を回動操作しても、内筒４１の胴体４３に内臓されたキー係止板５１…が外筒３１の係止凹溝３７、３７内に挿入、係止されているため、キー７は回動できず、したがって施錠することはできない。
【００３４】
【発明の効果】
本発明は、以上詳述したように構成されているものであるから、少なくとも２個の関連ロッカーを有するものにおいて、一方のロッカーのキーを装着しないと他方のロッカーの施錠操作が許容されないため、多使用ロッカーでのキーの保管が容易であり、紛失のおそれが少ない。
【００３５】
また、扉の前・後面にロック機構を有し、これらを有機的に連結して、各ロック機構に対するキー操作により施・解錠できるようにしてあるため、不正な行為によるロッカーの非常解錠を有効に防止することができる。したがって、安全性がきわめて向上する。
【００３６】
さらに、効果が大きい割には、全体の構成がシンプルで、製作が簡単かつ低コストで行なえる。
【図面の簡単な説明】
【図１】本発明の用途の説明図である。
【図２】本発明の使用状態を示す側面図である。
【図３】同上の平面図である。
【図４】同上の背面図である。
【図５】本発明の他の実施形態における使用状態を示す平面図である。
【図６】同上の背面図である。
【図７】本発明の解錠状態を示す分解斜視図である。
【図８】同上の断面図である。
【図９】同上の組立て断面図である。
【図１０】図９のＡ−Ａ矢視断面図である。
【図１１】本発明の施錠状態を示す分解斜視図である。
【図１２】同上の断面図である。
【図１３】同上の組立て断面図である。
【図１４】図１３のＢ−Ｂ矢視断面図である。
【符号の説明】
Ａ          シューズロッカー
Ｂ          本ロッカー
３、７      キー
４          ツインロック機構
８          ラッチ
８ｂ        嵌合孔
３１、３２  外筒
３３、３４  取付フランジ
３５、３６  嵌合孔
３７、３８  係止凹溝
４１、４２  内筒
４７、４８  突起
４９、５０  キー孔
５１、５２  係止板
６１        連結具
６２        嵌合孔
【図１】
0003856727.tif 000002
【図２】
0003856727.tif 000003
【図３】
0003856727.tif 000004
【図４】
0003856727.tif 000005
【図５】
0003856727.tif 000006
【図６】
0003856727.tif 000007
【図７】
0003856727.tif 000008
【図８】
0003856727.tif 000009
【図９】
0003856727.tif 000010
【図１０】
0003856727.tif 000011
【図１１】
0003856727.tif 000012
【図１２】
0003856727.tif 000013
【図１３】
0003856727.tif 000014
【図１４】
0003856727.tif 000015